(57)【要約】  アクセスポイントを介して通信を利用する際に，その利用者が利用する可搬型通信端末の通信端末識別情報を特定する情報処理システムを提供することを目的とする。  無線通信装置を利用して通信を行う可搬型通信端末の通信端末識別情報を記憶する通信端末識別情報記憶部と，無線通信装置のある無線ＬＡＮ通信スポットにおける人物特定情報取得装置で取得した，少なくとも二以上の人物特定情報を用いて，同一の人物がいるかを判定する人物特定情報比較処理部と，判定の結果，同一の人物がいると判定された場合，通信端末識別情報記憶部から，それぞれの人物特定情報に対応する通信端末識別情報を通信端末識別情報記憶部から抽出し，共通する通信端末識別情報を特定することで，無線通信装置を利用して通信を行う利用者の可搬型通信端末の通信端末識別情報の絞込処理を行う通信端末識別情報絞込処理部と，を備える情報処理システムである。
2017134729.tif 000002
【特許請求の範囲】
【請求項１】
無線通信装置を利用して可搬型通信端末により通信を行う利用者の通信端末識別情報を特定する情報処理システムであって，
前記情報処理システムは，
前記無線通信装置を利用して通信を行う可搬型通信端末の通信端末識別情報を記憶する通信端末識別情報記憶部と，
前記無線通信装置のある無線ＬＡＮ通信スポットにおける人物特定情報取得装置で取得した人物特定情報を用いて，あらかじめ登録された人物がいるかを照合させる人物照合処理部と，
前記照合の結果，あらかじめ登録された人物がいると判定された場合，前記通信端末識別情報記憶部から，前記人物特定情報に対応する通信端末識別情報を前記通信端末識別情報記憶部から抽出することで候補情報として特定する候補情報特定処理部と，
同一の人物に対する，少なくとも二以上の候補情報から，共通する通信端末識別情報を特定することで，前記無線通信装置を利用して通信を行う利用者の可搬型通信端末の通信端末識別情報の絞込処理を行う通信端末識別情報特定処理部と，
を備えることを特徴とする情報処理システム。
【請求項２】
ゲートまたはその付近に無線通信装置と人物特定情報取得装置とが設置されており，前記ゲートを通行する人物が利用する可搬型通信端末の通信端末識別情報を特定する情報処理システムであって，
前記無線通信装置は，前記ゲートを通行する人物が利用する可搬型通信端末と通信を行うよう設定されており，
前記情報処理システムは，
前記無線通信装置を利用して通信を行う可搬型通信端末の通信端末識別情報を記憶する通信端末識別情報記憶部と，
前記人物特定情報取得装置で取得した人物特定情報を用いて，あらかじめ登録された人物がいるかを照合させる人物照合処理部と，
前記照合の結果，あらかじめ登録された人物がいると判定された場合，前記通信端末識別情報記憶部から，前記人物特定情報に対応する通信端末識別情報を前記通信端末識別情報記憶部から抽出することで，前記無線通信装置を利用して通信を行う利用者の可搬型通信端末の通信端末識別情報の特定処理を行う候補情報特定処理部と，
を備えることを特徴とする情報処理システム。
【請求項３】
前記ゲートまたはその付近にセンサーが設置されており，
前記ゲートの通行と前記人物特定情報取得装置の取得処理とを連動させる，または，前記無線通信装置における前記ゲートを通行する利用者が利用する可搬型通信端末の通信端末識別情報の取得処理と前記人物特定情報取得装置の取得処理とを連動させる，
ことを特徴とする請求項２に記載の情報処理システム。
【請求項４】
前記人物特定情報取得装置で取得した人物特定情報を用いた照合処理は，
前記人物特定情報と，あらかじめ登録された人物の生体情報とを照合させることで実行する，
ことを特徴とする請求項１から請求項３のいずれかに記載の情報処理システム。
【請求項５】
無線通信装置を利用して可搬型通信端末により通信を行う利用者の通信端末識別情報を特定する情報処理システムであって，
前記情報処理システムは，
前記無線通信装置を利用して通信を行う可搬型通信端末の通信端末識別情報を記憶する通信端末識別情報記憶部と，
前記無線通信装置のある無線ＬＡＮ通信スポットにおける人物特定情報取得装置で取得した，少なくとも二以上の人物特定情報を用いて，同一の人物がいるかを判定する人物特定情報比較処理部と，
前記判定の結果，同一の人物がいると判定された場合，前記通信端末識別情報記憶部から，前記それぞれの人物特定情報に対応する通信端末識別情報を前記通信端末識別情報記憶部から抽出し，共通する通信端末識別情報を特定することで，前記無線通信装置を利用して通信を行う利用者の可搬型通信端末の通信端末識別情報の絞込処理を行う通信端末識別情報絞込処理部と，
を備えることを特徴とする情報処理システム。
【請求項６】
無線通信装置を利用して可搬型通信端末により通信を行う利用者の通信端末識別情報を特定する情報処理方法であって，
前記情報処理方法は，コンピュータにおいて，
前記無線通信装置を利用して通信を行う可搬型通信端末の通信端末識別情報を取得するステップと，
前記無線通信装置のある無線ＬＡＮ通信スポットにおける人物特定情報取得装置で取得した人物特定情報を用いて，あらかじめ登録された人物がいるかを照合させるステップと，
前記照合の結果，あらかじめ登録された人物がいると判定された場合，前記取得した通信端末識別情報のうち，前記人物特定情報に対応する通信端末識別情報を抽出することで候補情報として特定するステップと，
同一の人物に対する，少なくとも二以上の候補情報から，共通する通信端末識別情報を特定することで，前記無線通信装置を利用して通信を行う利用者の可搬型通信端末の通信端末識別情報の絞込処理を行うステップと，
を備えることを特徴とする情報処理方法。
【請求項７】
ゲートまたはその付近に無線通信装置と人物特定情報取得装置とが設置されており，前記ゲートを通行する人物が利用する可搬型通信端末の通信端末識別情報を特定する情報処理方法であって，
前記無線通信装置は，前記ゲートを通行する人物が利用する可搬型通信端末と通信を行うよう設定されており，
前記情報処理方法は，コンピュータにおいて，
前記無線通信装置を利用して通信を行う可搬型通信端末の通信端末識別情報を取得するステップと，
前記人物特定情報取得装置で取得した人物特定情報を用いて，あらかじめ登録された人物がいるかを照合させるステップと，
前記照合の結果，あらかじめ登録された人物がいると判定された場合，前記取得した通信端末識別情報のうち，前記人物特定情報に対応する通信端末識別情報を抽出することで，前記無線通信装置を利用して通信を行う利用者の可搬型通信端末の通信端末識別情報の特定処理を行うステップと，
を備えることを特徴とする情報処理方法。
【請求項８】
無線通信装置と，その無線通信装置の通信可能範囲の一部または全部を撮影するカメラとを備えた無線ＬＡＮ通信スポットが二以上ある場合の，前記無線通信装置を利用する可搬型通信端末の通信端末識別情報を特定する情報処理方法であって，
前記情報処理方法は，コンピュータにおいて，
第１の無線ＬＡＮ通信スポットのカメラで撮影した画像情報を取得するステップと，
第２の無線ＬＡＮ通信スポットのカメラで撮影した画像情報を取得するステップと，
前記取得したそれぞれの画像情報と，あらかじめ登録された人物の生体情報とを照合させ，前記登録された人物が前記画像情報に写っているかの照合をさせるステップと，
前記登録された人物が写っていると判定された場合，前記判定した画像情報に対応する，前記第１の無線ＬＡＮ通信スポットを利用して通信する可搬型通信端末の通信端末識別情報と，前記第２の無線ＬＡＮ通信スポットを利用して通信する可搬型通信端末の通信端末識別情報とを比較し，共通する通信端末識別情報を特定するステップと，
を備えることを特徴とする情報処理方法。
【請求項９】
無線通信装置と，その無線通信装置の通信可能範囲の一部または全部を撮影するカメラとを備えた無線ＬＡＮ通信スポットの，前記無線通信装置を利用する可搬型通信端末の通信端末識別情報を特定する情報処理方法であって，
前記情報処理方法は，コンピュータにおいて，
第１の時点において，前記カメラで撮影した画像情報を取得するステップと，
第２の時点において，前記カメラで撮影した画像情報を取得するステップと，
前記取得したそれぞれの画像情報と，あらかじめ登録された人物の生体情報とを照合させ，前記登録された人物が前記画像情報に写っているかの照合をさせるステップと，
前記登録された人物が写っていると判定された場合，前記判定した画像情報に対応する，前記第１の時点における前記無線ＬＡＮ通信スポットを利用して通信する可搬型通信端末の通信端末識別情報と，前記第２の時点における前記無線ＬＡＮ通信スポットを利用して通信する可搬型通信端末の通信端末識別情報とを比較し，共通する通信端末識別情報を特定するステップと，
を備えることを特徴とする情報処理方法。
【請求項１０】
無線通信装置と，その無線通信装置の通信可能範囲の一部または全部を撮影するカメラとを備えた無線ＬＡＮ通信スポットが二以上ある場合の，前記無線通信装置を利用する可搬型通信端末の通信端末識別情報を特定する情報処理方法であって，
前記情報処理方法は，コンピュータにおいて，
第１の無線ＬＡＮ通信スポットのカメラで撮影した画像情報を取得するステップと，
第２の無線ＬＡＮ通信スポットのカメラで撮影した画像情報を取得するステップと，
前記取得したそれぞれの画像情報から写っている人物の顔画像情報を抽出し，抽出した人物の顔画像情報を，他方の画像情報から抽出した人物の顔画像情報と比較することで，同一の人物がそれぞれの画像情報に写っているかを判定するステップと，
前記同一の人物がそれぞれの画像情報に写っていると判定した場合，前記それぞれの画像情報に対応する，前記第１の無線ＬＡＮ通信スポットを利用して通信する可搬型通信端末の通信端末識別情報と，前記第２の無線ＬＡＮ通信スポットを利用して通信する可搬型通信端末の通信端末識別情報とを比較し，共通する通信端末識別情報を特定するステップと，
を備えることを特徴とする情報処理方法。
【請求項１１】
無線通信装置と，その無線通信装置の通信可能範囲の一部または全部を撮影するカメラとを備えた無線ＬＡＮ通信スポットの，前記無線通信装置を利用する可搬型通信端末の通信端末識別情報を特定する情報処理方法であって，
前記情報処理方法は，コンピュータにおいて，
第１の時点において，前記カメラで撮影した画像情報を取得するステップと，
第２の時点において，前記カメラで撮影した画像情報を取得するステップと，
前記取得したそれぞれの画像情報から写っている人物の顔画像情報を抽出し，抽出した人物の顔画像情報を，他方の画像情報から抽出した人物の顔画像情報と比較することで，同一の人物がそれぞれの画像情報に写っているかを判定するステップと，
前記同一の人物がそれぞれの画像情報に写っていると判定した場合，前記それぞれの画像情報に対応する，前記第１の時点における前記無線ＬＡＮ通信スポットを利用して通信する可搬型通信端末の通信端末識別情報と，前記第２の時点における前記無線ＬＡＮ通信スポットを利用して通信する可搬型通信端末の通信端末識別情報とを比較し，共通する通信端末識別情報を特定するステップと，
を備えることを特徴とする情報処理方法。
【発明の詳細な説明】
【技術分野】
【０００１】
本発明は，アクセスポイントを介して通信を利用する際に，その利用者が利用する可搬型通信端末の通信端末識別情報を特定する情報処理システムに関する。
【背景技術】
【０００２】
近時，公衆無線ＬＡＮのアクセスポイントの整備が行われており，自宅外などでネットワークにアクセスする場合，可搬型通信端末の無線ＬＡＮの機能を利用することが増加している。これによって，無線ＬＡＮ通信スポットに設置されたアクセスポイントや無線ＬＡＮスイッチ（無線ＬＡＮ親機）と，可搬型通信端末（子機）との間で無線通信を行い，無線ＬＡＮ通信スポット経由でインターネットにアクセスすることが可能となる。【０００３】
無線ＬＡＮ通信スポットに設置されたアクセスポイントや無線ＬＡＮスイッチと可搬型通信端末との間で無線通信を行う場合，ＭＡＣアドレスなどの通信端末識別情報により可搬型通信端末を特定し，無線通信を行っている。そのため，無線ＬＡＮ通信スポットでは無線通信を行っている可搬型通信端末を通信端末識別情報によって管理している。特許文献１に，無線ＬＡＮを用いた無線通信の一例を示す。
【先行技術文献】
【特許文献】
【０００４】
【特許文献１】特開２０１５−２１１２９８号公報
【発明の概要】
【発明が解決しようとする課題】
【０００５】
特許文献１のように，無線ＬＡＮ通信スポット経由でのインターネットへのアクセスについては，アクセスポイントまたは無線ＬＡＮスイッチでは，通信端末識別情報でしか可搬型通信端末を特定できておらず，誰が実際に利用しているかは，無線ＬＡＮの利用の際に，ユーザＩＤの入力などを受け付けていなければ特定することができない。あるいは，通信事業者に対して問い合わせをすることで個人情報を特定することができるものの，一般的に，通信事業者は，通信の秘密や個人情報保護などの観点から，第三者に対して原則として通信端末識別情報を誰が利用しているかを開示していない。【０００６】
このような仕組みのため，たとえば犯罪行為を行う危険性が高いとして登録されている人物が，犯罪行為を行おうとして無線ＬＡＮを介してインターネットを利用している場合，その通信を直ちに遮断し，犯罪行為の防止をすることが求められるが，従来は，アクセスポイントや無線ＬＡＮスイッチでは通信端末識別情報しか把握できないため，そもそも無線ＬＡＮ通信スポットを利用している人物が犯罪行為を行う危険性が高い人物であるか否かを特定できない。そのため，かかる通信を遮断したり，傍受することができない。【０００７】
そこで，あらかじめ登録されている人物が無線ＬＡＮ通信スポットにおける公衆無線ＬＡＮを利用している場合，その通信端末識別情報の特定を迅速に行うシステムが望まれている。
【課題を解決するための手段】
【０００８】
本発明者は上記課題に鑑み，無線ＬＡＮ通信スポットで公衆無線ＬＡＮによる通信を行っている可搬型通信端末の利用者の通信端末識別情報を特定する情報処理システムを発明した。【０００９】
第１の発明は，無線通信装置を利用して可搬型通信端末により通信を行う利用者の通信端末識別情報を特定する情報処理システムであって，前記情報処理システムは，前記無線通信装置を利用して通信を行う可搬型通信端末の通信端末識別情報を記憶する通信端末識別情報記憶部と，前記無線通信装置のある無線ＬＡＮ通信スポットにおける人物特定情報取得装置で取得した人物特定情報を用いて，あらかじめ登録された人物がいるかを照合させる人物照合処理部と，前記照合の結果，あらかじめ登録された人物がいると判定された場合，前記通信端末識別情報記憶部から，前記人物特定情報に対応する通信端末識別情報を前記通信端末識別情報記憶部から抽出することで候補情報として特定する候補情報特定処理部と，同一の人物に対する，少なくとも二以上の候補情報から，共通する通信端末識別情報を特定することで，前記無線通信装置を利用して通信を行う利用者の可搬型通信端末の通信端末識別情報の絞込処理を行う通信端末識別情報特定処理部と，を備える情報処理システムである。【００１０】
本発明のように構成することで，無線ＬＡＮ通信スポットを利用している利用者の可搬型通信端末の通信端末識別情報を絞り込んで特定することが可能となる。そのため，特定した通信端末識別情報に基づいて，アクセスポイントや無線ＬＡＮスイッチなどの無線通信装置と当該可搬型通信端末との通信を遮断したり，傍受することが可能となる。また，場合によっては，偽の情報を流すことも可能となる。さらに，ネットワーク経由で爆発物の起爆装置を作動させるなどの行為を停止させるなどの行為も可能となる。このように，可搬型通信端末により，無線ＬＡＮ通信スポットを介してネットワークを経由でなんらかの行為を行う場合に対して，介入することができる。これらによって，必要最小限の範囲で通信に対する介入を，たとえば捜査機関などが行うことができ，いたずらに通信の秘密を犯すこともなく，プライバシーに配慮をすることも可能となる。【００１１】
第２の発明は，ゲートまたはその付近に無線通信装置と人物特定情報取得装置とが設置されており，前記ゲートを通行する人物が利用する可搬型通信端末の通信端末識別情報を特定する情報処理システムであって，前記無線通信装置は，前記ゲートを通行する人物が利用する可搬型通信端末と通信を行うよう設定されており，前記情報処理システムは，前記無線通信装置を利用して通信を行う可搬型通信端末の通信端末識別情報を記憶する通信端末識別情報記憶部と，前記人物特定情報取得装置で取得した人物特定情報を用いて，あらかじめ登録された人物がいるかを照合させる人物照合処理部と，前記照合の結果，あらかじめ登録された人物がいると判定された場合，前記通信端末識別情報記憶部から，前記人物特定情報に対応する通信端末識別情報を前記通信端末識別情報記憶部から抽出することで，前記無線通信装置を利用して通信を行う利用者の可搬型通信端末の通信端末識別情報の特定処理を行う候補情報特定処理部と，を備える情報処理システムである。【００１２】
本発明のように，ゲートを通行する人物と無線通信装置とが通信をするように設定をしておけば，無線通信装置と通信可能な可搬型通信端末を一対一で対応させることが可能となる。そのため，ゲートを通行する際に，カメラなどの人物特定情報取得装置で人物特定情報に基づいて，あらかじめ登録された人物か否かの照合処理を行い，その結果，登録された人物と判定できた場合には，すぐにその人物の可搬型通信端末の通信端末識別情報を特定することができる。【００１３】
上述の発明において，前記ゲートまたはその付近にセンサーが設置されており，前記ゲートの通行と前記人物特定情報取得装置の取得処理とを連動させる，または，前記無線通信装置における前記ゲートを通行する利用者が利用する可搬型通信端末の通信端末識別情報の取得処理と前記人物特定情報取得装置の取得処理とを連動させる，情報処理システムのように構成することもできる。【００１４】
このように構成をしておけば人物特定情報取得装置で人物特定情報の取得処理と，ゲートの通過または通信端末識別情報の取得とを連動させることができるので，取得する人物特定情報を減らすことができる。その結果，負荷のかかる人物特定情報の照合処理を減らすことができ，コンピュータの負荷を減らし，処理速度を高速化することができる。【００１５】
上述の発明において，前記人物特定情報取得装置で取得した人物特定情報を用いた照合処理は，前記人物特定情報と，あらかじめ登録された人物の生体情報とを照合させることで実行する，情報処理システムのように構成することができる。【００１６】
人物特定情報の照合処理は，本発明のように人物の生体情報と照合することが好ましい。通信に対する介入は通信の秘密の制限につながり，重大な権利侵害を伴うものであるから，慎重に行わなければならない。特に登録された人物とは異なった人物の通信に対して介入が行われることは極力避けなければならない。そこで，生体情報のように確実性の高い情報を照合対象とすることで，人物の誤認識を減らすことができる。【００１７】
第５の発明は，無線通信装置を利用して可搬型通信端末により通信を行う利用者の通信端末識別情報を特定する情報処理システムであって，前記情報処理システムは，前記無線通信装置を利用して通信を行う可搬型通信端末の通信端末識別情報を記憶する通信端末識別情報記憶部と，前記無線通信装置のある無線ＬＡＮ通信スポットにおける人物特定情報取得装置で取得した，少なくとも二以上の人物特定情報を用いて，同一の人物がいるかを判定する人物特定情報比較処理部と，前記判定の結果，同一の人物がいると判定された場合，前記通信端末識別情報記憶部から，前記それぞれの人物特定情報に対応する通信端末識別情報を前記通信端末識別情報記憶部から抽出し，共通する通信端末識別情報を特定することで，前記無線通信装置を利用して通信を行う利用者の可搬型通信端末の通信端末識別情報の絞込処理を行う通信端末識別情報絞込処理部と，を備える情報処理システムである。【００１８】
上述の各発明では，あらかじめ照合対象となる情報を登録しておかなければならない。しかし必ずしもそれが得られるとは限らない。そのため，そのような情報を登録していない場合でも可搬型通信端末の通信端末識別情報が取得できると好ましい。そこで，本発明のように，少なくとも二以上の人物特定情報を用いて同一の人物がいるかを判定した上で，同一の人物が判定できた人物特定情報に対応する通信端末識別情報を特定し，それらで共通する通信端末識別情報を絞り込むように構成することで，利用者が利用する可搬型通信端末の通信端末識別情報を特定することが可能となる。【００１９】
そして，第１の発明と同様に，特定した通信端末識別情報に基づいて，無線通信装置と当該可搬型通信端末との通信を遮断したり，傍受することが可能となる。また，場合によっては，偽の情報を流すことも可能となる。さらに，ネットワーク経由で爆発物の起爆装置を作動させるなどの行為を停止させるなどの行為も可能となる。このように，可搬型通信端末により，無線ＬＡＮ通信スポットを介してネットワークを経由でなんらかの行為を行う場合に対して，介入することができる。これらによって，必要最小限の範囲で通信に対する介入を，たとえば捜査機関などが行うことができ，いたずらに通信の秘密を犯すこともなく，プライバシーに配慮をすることも可能となる。【００２０】
第６の発明は，無線通信装置を利用して可搬型通信端末により通信を行う利用者の通信端末識別情報を特定する情報処理方法であって，前記情報処理方法は，コンピュータにおいて，前記無線通信装置を利用して通信を行う可搬型通信端末の通信端末識別情報を取得するステップと，前記無線通信装置のある無線ＬＡＮ通信スポットにおける人物特定情報取得装置で取得した人物特定情報を用いて，あらかじめ登録された人物がいるかを照合させるステップと，前記照合の結果，あらかじめ登録された人物がいると判定された場合，前記取得した通信端末識別情報のうち，前記人物特定情報に対応する通信端末識別情報を抽出することで候補情報として特定するステップと，同一の人物に対する，少なくとも二以上の候補情報から，共通する通信端末識別情報を特定することで，前記無線通信装置を利用して通信を行う利用者の可搬型通信端末の通信端末識別情報の絞込処理を行うステップと，を備える情報処理方法である。【００２１】
第１の発明の情報処理システムは，コンピュータを本発明のように用いることで実行することができる。【００２２】
第７の発明は，ゲートまたはその付近に無線通信装置と人物特定情報取得装置とが設置されており，前記ゲートを通行する人物が利用する可搬型通信端末の通信端末識別情報を特定する情報処理方法であって，前記無線通信装置は，前記ゲートを通行する人物が利用する可搬型通信端末と通信を行うよう設定されており，前記情報処理方法は，コンピュータにおいて，前記無線通信装置を利用して通信を行う可搬型通信端末の通信端末識別情報を取得するステップと，前記人物特定情報取得装置で取得した人物特定情報を用いて，あらかじめ登録された人物がいるかを照合させるステップと，前記照合の結果，あらかじめ登録された人物がいると判定された場合，前記取得した通信端末識別情報のうち，前記人物特定情報に対応する通信端末識別情報を抽出することで，前記無線通信装置を利用して通信を行う利用者の可搬型通信端末の通信端末識別情報の特定処理を行うステップと，を備える情報処理方法である。【００２３】
第２の発明の情報処理システムは，コンピュータを本発明のように用いることで実行することができる。【００２４】
第８の発明は，無線通信装置と，その無線通信装置の通信可能範囲の一部または全部を撮影するカメラとを備えた無線ＬＡＮ通信スポットが二以上ある場合の，前記無線通信装置を利用する可搬型通信端末の通信端末識別情報を特定する情報処理方法であって，前記情報処理方法は，コンピュータにおいて，第１の無線ＬＡＮ通信スポットのカメラで撮影した画像情報を取得するステップと，第２の無線ＬＡＮ通信スポットのカメラで撮影した画像情報を取得するステップと，前記取得したそれぞれの画像情報と，あらかじめ登録された人物の生体情報とを照合させ，前記登録された人物が前記画像情報に写っているかの照合をさせるステップと，前記登録された人物が写っていると判定された場合，前記判定した画像情報に対応する，前記第１の無線ＬＡＮ通信スポットを利用して通信する可搬型通信端末の通信端末識別情報と，前記第２の無線ＬＡＮ通信スポットを利用して通信する可搬型通信端末の通信端末識別情報とを比較し，共通する通信端末識別情報を特定するステップと，を備える情報処理方法である。【００２５】
本発明に示すように，カメラを用いて無線通信装置の通信可能範囲内の一部または全部を撮影した画像情報と，あらかじめ登録された人物の顔画像情報とを照合することが好ましい。もし２カ所以上の無線ＬＡＮ通信スポットにおいて，同一人物が照合され，可搬型通信端末の通信端末識別情報に共通性がみられるならば，当該通信端末識別情報は，その照合された人物が利用するものである可能性が高い。したがって，本発明のように構成することで，あらかじめ登録された人物の通信端末識別情報を特定することができる。【００２６】
第９の発明は，無線通信装置と，その無線通信装置の通信可能範囲の一部または全部を撮影するカメラとを備えた無線ＬＡＮ通信スポットの，前記無線通信装置を利用する可搬型通信端末の通信端末識別情報を特定する情報処理方法であって，前記情報処理方法は，コンピュータにおいて，第１の時点において，前記カメラで撮影した画像情報を取得するステップと，第２の時点において，前記カメラで撮影した画像情報を取得するステップと，前記取得したそれぞれの画像情報と，あらかじめ登録された人物の生体情報とを照合させ，前記登録された人物が前記画像情報に写っているかの照合をさせるステップと，前記登録された人物が写っていると判定された場合，前記判定した画像情報に対応する，前記第１の時点における前記無線ＬＡＮ通信スポットを利用して通信する可搬型通信端末の通信端末識別情報と，前記第２の時点における前記無線ＬＡＮ通信スポットを利用して通信する可搬型通信端末の通信端末識別情報とを比較し，共通する通信端末識別情報を特定するステップと，を備える情報処理方法である。【００２７】
本発明に示すように，カメラを用いて無線通信装置の通信可能範囲内の一部または全部を撮影した画像情報と，あらかじめ登録された人物の顔画像情報とを照合することが好ましい。もし無線ＬＡＮ通信スポットにおける二つの時点において，同一人物が照合され，可搬型通信端末の通信端末識別情報に共通性がみられるならば，当該通信端末識別情報は，その照合された人物が利用するものである可能性が高い。したがって，本発明のように構成することで，あらかじめ登録された人物の通信端末識別情報を特定することができる。【００２８】
第１０の発明は，無線通信装置と，その無線通信装置の通信可能範囲の一部または全部を撮影するカメラとを備えた無線ＬＡＮ通信スポットが二以上ある場合の，前記無線通信装置を利用する可搬型通信端末の通信端末識別情報を特定する情報処理方法であって，前記情報処理方法は，コンピュータにおいて，第１の無線ＬＡＮ通信スポットのカメラで撮影した画像情報を取得するステップと，第２の無線ＬＡＮ通信スポットのカメラで撮影した画像情報を取得するステップと，前記取得したそれぞれの画像情報から写っている人物の顔画像情報を抽出し，抽出した人物の顔画像情報を，他方の画像情報から抽出した人物の顔画像情報と比較することで，同一の人物がそれぞれの画像情報に写っているかを判定するステップと，前記同一の人物がそれぞれの画像情報に写っていると判定した場合，前記それぞれの画像情報に対応する，前記第１の無線ＬＡＮ通信スポットを利用して通信する可搬型通信端末の通信端末識別情報と，前記第２の無線ＬＡＮ通信スポットを利用して通信する可搬型通信端末の通信端末識別情報とを比較し，共通する通信端末識別情報を特定するステップと，を備える情報処理方法である。【００２９】
第１１の発明は，無線通信装置と，その無線通信装置の通信可能範囲の一部または全部を撮影するカメラとを備えた無線ＬＡＮ通信スポットの，前記無線通信装置を利用する可搬型通信端末の通信端末識別情報を特定する情報処理方法であって，前記情報処理方法は，コンピュータにおいて，第１の時点において，前記カメラで撮影した画像情報を取得するステップと，第２の時点において，前記カメラで撮影した画像情報を取得するステップと，前記取得したそれぞれの画像情報から写っている人物の顔画像情報を抽出し，抽出した人物の顔画像情報を，他方の画像情報から抽出した人物の顔画像情報と比較することで，同一の人物がそれぞれの画像情報に写っているかを判定するステップと，前記同一の人物がそれぞれの画像情報に写っていると判定した場合，前記それぞれの画像情報に対応する，前記第１の時点における前記無線ＬＡＮ通信スポットを利用して通信する可搬型通信端末の通信端末識別情報と，前記第２の時点における前記無線ＬＡＮ通信スポットを利用して通信する可搬型通信端末の通信端末識別情報とを比較し，共通する通信端末識別情報を特定するステップと，を備える情報処理方法である。【００３０】
第５の発明の情報処理システムは，コンピュータをこれらの各発明のように用いることで実行することができる。
【発明の効果】
【００３１】
本発明によって，あらかじめ登録されている人物が，無線ＬＡＮ通信スポットにおける公衆無線ＬＡＮによる通信を行っている場合，その通信端末識別情報を特定することができる。これによって，たとえば，あらかじめ，犯罪行為を行う危険性が高いとして登録されている人物が，無線ＬＡＮ通信スポットにおいて公衆無線ＬＡＮによる通信を行っている場合，それを特定することができるので，その通信を遮断したり，傍受する，偽の情報を流す，ネットワーク経由での爆発物の起爆装置の作動を停止させるなど，無線ＬＡＮ通信スポットを介した場合の通信に対する介入などが可能となり，犯罪行為の防止に利用することができる。【００３２】
また，通信端末識別情報は偽装することもできるが，通常，それには一定の操作などが必要であり，一度，外出等した場合には，少なくともその一日は同一の「偽装された」通信端末識別情報を利用することが通常である。そうすると，仮に通信端末識別情報が偽装されていたとしても，本発明を用いることによって，その通信に対して，介入することが可能となる。
【図面の簡単な説明】
【００３３】
【図１】本発明の情報処理システムの全体の構成の一例を模式的に示す概念図である。
【図２】コンピュータのハードウェア構成の一例を模式的に示す図である。
【図３】本発明の情報処理システムの処理の一例を模式的に示すフローチャートである。
【図４】通信端末識別情報記憶部の一例を模式的に示す図である。
【図５】実施例１における実施態様の一例を模式的に示す図である。
【図６】実施例２における実施態様の一例を模式的に示す図である。
【図７】実施例２における通信端末識別情報記憶部の一例を模式的に示す図である。
【図８】実施例３における実施態様の一例を模式的に示す図である。
【図９】実施例３における処理の一例を模式的に示すフローチャートである。
【図１０】実施例３における実施態様の一例を模式的に示す図である。
【図１１】実施例４において，セキュリティゲートにアクセスポイントと防犯カメラを設置した場合の一例を模式的に示す図である。
【発明を実施するための形態】
【００３４】
本発明の情報処理システム１の全体の構成の一例を図１に模式的に示す。情報処理システム１は，本システムを管理する企業等が利用する管理コンピュータ２と，無線ＬＡＮ通信スポットにおける各種無線ＬＡＮの通信装置とを有している。また管理コンピュータ２は後述する照合システム４と通信可能である。
【００３５】
管理コンピュータ２や照合システム４は，サーバやパーソナルコンピュータなどの各種のコンピュータにより実現される。図２にコンピュータのハードウェア構成の一例を示す。管理コンピュータ２や照合システム４であるコンピュータは，プログラムの演算処理を実行するＣＰＵなどの演算装置７０と，情報を記憶するＲＡＭやハードディスクなどの記憶装置７１と，ディスプレイなどの表示装置７２と，キーボードやポインティングデバイス（マウスやテンキーなど）などの入力装置７３と，演算装置７０の処理結果や記憶装置７１に記憶する情報をインターネットやＬＡＮなどのネットワークを介して送受信する通信装置７４とを有している。
【００３６】
なお，図１では管理コンピュータ２が一台のコンピュータで実現される場合を示したが，複数台のコンピュータにその機能が分散配置され，実現されても良い。また，本発明における各手段は，その機能が論理的に区別されているのみであって，物理上あるいは事実上は同一の領域を為していても良い。
【００３７】
本発明に於ける各処理部，記憶部は、その機能が論理的に区別されているのみであって、物理上あるいは事実上は同一の領域をなしていても良い。またデータベースの代わりにデータファイルであっても良いことは言うまでもなく，データベースとの記載にはデータファイルをも含んでいる。
【００３８】
無線ＬＡＮ通信スポットでは，利用者が利用する可搬型通信端末５と無線ＬＡＮによる通信を行うアクセスポイント３０と，一または二以上のアクセスポイント３０を管理する無線ＬＡＮスイッチ３１と，無線ＬＡＮ通信スポット周辺における可搬型通信端末５の利用者を特定するための人物特定情報を取得する人物特定情報取得装置３２とを備える。なお無線ＬＡＮ通信スポットは，任意の場所に，少なくとも複数，設けられていることが好ましいが，一つであってもよい。
【００３９】
アクセスポイント３０は，無線ＬＡＮ通信スポットにおいて，可搬型通信端末５が無線ＬＡＮによる通信を行うための装置であって，可搬型通信端末５との間で無線通信を行う。また，アクセスポイント３０は，後述する無線ＬＡＮスイッチ３１と有線または無線による通信を行う。すなわち，アクセスポイント３０は，可搬型通信端末５と無線ＬＡＮスイッチ３１との通信を中継する。
【００４０】
無線ＬＡＮスイッチ３１は，アクセスポイント３０を介して，可搬型通信端末５からＭＡＣアドレスなどの可搬型通信端末５またはその利用者を識別するための通信端末識別情報を取得し，管理する。通信端末識別情報は，ＭＡＣアドレスのほか，可搬型通信端末５またはその利用者を識別するための情報であればいかなる情報であってもよく，たとえば無線ＬＡＮ通信スポットを利用するためのユーザＩＤなどであってもよい。ただしＭＡＣアドレスのように直接的に，可搬型通信端末５との通信に用いない情報を通信端末識別情報とする場合，通信端末識別情報は，可搬型通信端末５との通信に用いる情報との関係性を維持しておく。
【００４１】
なお，無線ＬＡＮ通信スポットにおいては，管理コンピュータ２との間の通信において，無線ＬＡＮスイッチ３１を介する構成を説明するが，無線ＬＡＮスイッチ３１を用いずに，アクセスポイント３０に無線ＬＡＮスイッチ３１と同等の機能を持たせてもよい。この場合，アクセスポイント３０と通信している可搬型通信端末５の通信端末識別情報を，アクセスポイント３０が取得し，保持していてもよい。本発明の説明においては，特に明記がなくても，アクセスポイント３０が可搬型通信端末５と無線ＬＡＮスイッチ３１との通信を中継している。無線ＬＡＮ通信スポットにおけるアクセスポイント３０および／または無線ＬＡＮスイッチ３１を無線通信装置という。
【００４２】
人物特定情報取得装置３２は，無線ＬＡＮ通信スポットの通信圏内にいる，無線ＬＡＮによる通信を可搬型通信端末５で行っている人の人物特定情報を取得する装置である。人物特定情報とは，人間の外観や身体的特徴などを利用して個人を特定するために用いる情報である。また人物特定情報取得装置３２は，人物特定情報を取得する装置である。
【００４３】
たとえば人物特定情報取得装置３２として防犯カメラ，人物特定情報としてカメラで無線ＬＡＮ通信スポットの通信可能範囲内にいる人等を撮影したときの画像情報（静止画または動画）を用いることができる。それ以外にも，人物特定情報取得装置３２の一例として，撮影装置（カメラ），マイク，指紋や掌紋の読取装置，静脈や虹彩の読取装置，遺伝子情報の読取装置などがあり，人物特定情報として，声紋（音声情報），指紋，掌紋，静脈，虹彩，遺伝子の情報などがある。
【００４４】
なお，人物特定情報取得装置３２として防犯カメラなどの撮影装置を用いる場合には，顔を可能な限り正面から撮影できると，認識の精度が向上する。そのため，利用者を正面付近から撮影できる位置に撮影装置が設置されていると好ましい。たとえば撮影装置は，バスや電車などの交通機関，各施設の出入口，後述するセキュリティゲート６の前方付近に設置されるとよい。
【００４５】
人物特定情報取得装置３２が取得した人物特定情報や，無線ＬＡＮスイッチ３１が取得した通信端末識別情報は，管理コンピュータ２に送られる。
【００４６】
管理コンピュータ２は，通信端末識別情報取得処理部２０と通信端末識別情報記憶部２１と人物照合処理部２２と候補情報特定処理部２３と通信端末識別情報特定処理部２４と出力処理部２５とを有する。
【００４７】
通信端末識別情報取得処理部２０は，無線ＬＡＮ通信スポットにおけるアクセスポイント３０または無線ＬＡＮスイッチ３１から，可搬型通信端末５から受信した通信端末識別情報を取得する。この際に，どのアクセスポイント３０または無線ＬＡＮスイッチ３１から取得したかを特定するため，アクセスポイント３０や無線ＬＡＮスイッチ３１，それらが設置されている無線ＬＡＮ通信スポットの識別情報などと併せて取得するとよい。さらに，通信端末識別情報を取得した日時情報も取得する。
【００４８】
通信端末識別情報記憶部２１は，通信端末識別情報取得処理部２０で取得した，通信端末識別情報と，日時情報と，アクセスポイント３０，無線ＬＡＮスイッチ３１あるいは無線ＬＡＮ通信スポットの識別情報とを対応づけて記憶する。図４に通信端末識別情報記憶部２１の一例を模式的に示す。
【００４９】
人物照合処理部２２は，無線ＬＡＮ通信スポットにおける人物特定情報取得装置３２から取得した人物特定情報を，照合システム４に送り，あらかじめ登録してある人物の情報と照合させる。照合システム４を捜査機関が利用しており，捜査機関が顔画像情報を登録している場合，人物照合処理部２２は，撮影装置である人物特定情報取得装置３２から，人物特定情報として画像情報を取得する。ここでは，撮影装置で撮影した，無線ＬＡＮ通信スポットの通信可能範囲内を撮影した画像情報が送られることとなる。そして，人物照合処理部２２は，取得した画像情報を，捜査機関が利用する照合システム４に送ることで，画像情報に，あらかじめ登録してある人物の顔画像情報が含まれているかの照合処理を実行させる。照合システム４では，管理コンピュータ２から取得した画像情報に基づいて，その画像情報に，あらかじめ捜査機関の照合システム４で登録してある顔画像情報が含まれているかを，顔によるマッチング処理を行う。仮に，登録してある顔画像情報が含まれていることを判定すると，照合システム４は，ヒットした顔画像情報の人物の属性情報を管理コンピュータ２に結果として返す。また，どの画像情報に含まれていたかを示す情報，たとえば無線ＬＡＮ通信スポットの識別情報や日時情報も結果として返す。人物の属性情報などは，人物照合処理部２２で取得する。
【００５０】
候補情報特定処理部２３は，照合システム４から人物の属性情報の結果を受けた画像情報に対応する通信端末識別情報を，通信端末識別情報記憶部２１から抽出し，特定する。すなわち，通信端末識別情報記憶部２１には，無線ＬＡＮ通信スポットごとの，アクセスポイント３０や無線ＬＡＮスイッチ３１で管理する通信端末識別情報を記憶しているので，当該画像情報の日時情報に対応する日時における通信端末識別情報を，通信端末識別情報記憶部２１から抽出し，特定すればよい。
【００５１】
たとえば，エリア１の人物特定情報取得装置３２（カメラ）で撮影した画像情報を人物照合処理部２２が照合システム４に送り，照合処理を実行したところ，あらかじめ登録された人物の顔画像情報が含まれていることが判定され，その人物の属性情報を照合システム４から人物照合処理部２２が受け取ったとする。そうすると，候補情報特定処理部２３は，エリア１の画像情報に基づいて，あらかじめ登録された人物との照合があったことから，エリア１の通信端末識別情報を，通信端末識別情報記憶部２１から抽出する。そして，そのうち，当該画像情報に対応する（その日時情報を含む所定範囲での）通信端末識別情報を，候補情報として特定する。
【００５２】
一例として，２０１６年１月２０日１０時１分１５秒に撮影された画像情報であった場合，そこから所定範囲，たとえば５分間前後，の通信端末識別情報「１２−３４−５６−７８−９０−１２」，「３４−５６−７８−９０−１２−３４」，「５６−７８−９０−１２−３４−５６」，「７８−９０−１２−３４−５６−７８」を抽出し，候補情報として特定する。
【００５３】
このように，人物特定情報を用いた人物の照合処理を行い，あらかじめ登録された人物を特定できた場合には，そのときにアクセスポイント３０を利用していた可搬型通信端末５の通信端末識別情報を特定することで，当該照合した人物が利用する可搬型通信端末５の通信端末識別情報の候補を特定することができる。
【００５４】
通信端末識別情報特定処理部２４は，照合した人物が同一である，少なくとも２以上の通信端末識別情報の候補情報を比較し，共通する通信端末識別情報の絞込処理を行う。たとえば，「Ａ」という人物を照合した結果，エリア１，エリア２，エリア３でそれぞれ通信端末識別情報の候補情報を取得したとする。この際の各候補情報が図４に示す通信端末識別情報であったとする。
【００５５】
そうすると，エリア１の候補情報，エリア２の候補情報，エリア３の候補情報のうち，共通している通信端末識別情報は「１２−３４−５６−７８−９０−１２」のみである。そうすると，「Ａ」という人物が利用する可搬型通信端末５の通信端末識別情報は「１２−３４−５６−７８−９０−１２」であると特定できる。
【００５６】
なお，通信端末識別情報を一つになるまで絞り込むことが好ましいが，必ずしも常にできるとは限らない。そこで，絞込処理として，複数の候補情報に共通する通信端末識別情報が複数ある場合には，それらを特定することで足りる。
【００５７】
出力処理部２５は，通信端末識別情報特定処理部２４で絞込をした結果と，人物照合処理部２２で照合システム４から受け取った照合結果における人物の属性情報とを出力する。たとえば，「Ａ」という人物が，エリア１，エリア２，エリア３で可搬型通信端末５を利用しており，その通信端末識別情報が「１２−３４−５６−７８−９０−１２」であることを，管理コンピュータ２の表示装置７２などに出力する。なお，表示装置７２に出力されるほか，印刷装置で出力してもよいし，電子メールやメッセージシステムで，所定の通知先に通知出力をしてもよい。また，照合システム４を運営する機関，たとえば捜査機関の所定の通知先に通知してもよい。
【００５８】
照合システム４は，あらかじめ登録された人物の生体情報の一部または全部を，その人物の属性情報に対応づけて記憶，管理している。管理コンピュータ２から送られた人物特定情報と，あらかじめ登録されている人物の生体情報とを照合することで，該当する人物がいるかを判定し，その結果を管理コンピュータ２に返す。生体情報としては，人の顔画像情報，声紋（音声情報），指紋，掌紋，静脈，虹彩，遺伝子の情報などがある。
【００５９】
照合システム４は，犯罪捜査目的や治安維持目的であれば警察などの捜査機関が管理していてもよい。またほかの目的であれば，当該目的を遂行する機関が管理していればよい。なお，照合システム４を独立のシステムとするのではなく，人物照合処理部２２にその機能を持たせてもよい。その場合には，人物特定情報と生体情報との照合処理は，人物照合処理部２２で行う。
【実施例１】
【００６０】
本発明の情報処理システム１における以下の実施態様では，あるイベント会場に３カ所の無線ＬＡＮ通信スポットが設置されており，人物特定情報取得装置３２として防犯カメラ，人物特定情報として防犯カメラで無線ＬＡＮ通信スポットの通信可能範囲内の一部または全部を撮影した画像情報，生体情報として顔画像情報の場合を説明する。実施例１における実施態様の一例を図５に模式的に示す。【００６１】
本実施態様の場合，無線ＬＡＮ通信スポットとしてエリア１からエリア３が設けられており，それぞれに，アクセスポイント３０，無線ＬＡＮスイッチ３１，防犯カメラが設置されている。アクセスポイント３０は，可搬型通信端末５と無線ＬＡＮスイッチ３１との間の通信を中継しており，可搬型通信端末５の通信端末識別情報であるＭＡＣアドレスは，無線ＬＡＮスイッチ３１で管理されている。【００６２】
時間の経過とともに，エリア１乃至エリア３にいる人員構成に変動が生じている。すなわち，ある時点においては，エリア１には４人（利用者「ａ」乃至「ｄ」）がいたところ，その時点から所定時間経過後にはエリア２に４人（利用者「ａ」，「ｂ」，「ｅ」，「ｆ」）が，さらにそこから所定時間経過後にはエリア３に４人（利用者「ａ」，「ｅ」，「ｆ」，「ｇ」）がいた場合を示している。つまり，当初，エリア１にいた利用者「ａ」，「ｂ」はエリア２に移動し，さらに，利用者「ａ」はエリア３に移動している。【００６３】
また，エリア１，エリア２，エリア３ではそれぞれの時点で，通信端末識別情報としてのＭＡＣアドレスが無線ＬＡＮスイッチ３１で記録されており，さらに，防犯カメラが撮影をしている。そして，ＭＡＣアドレス，画像情報は，いずれも管理コンピュータ２に送られている。【００６４】
以下，本実施態様における処理プロセスの一例を図３のフローチャートを用いて説明する。【００６５】
まず，無線ＬＡＮ通信スポットであるエリア１のアクセスポイント３０の通信可能範囲内に位置した場合，その利用者が利用する可搬型通信端末５と無線ＬＡＮスイッチ３１との間で通信の確立が行われ（Ｓ１００），可搬型通信端末５のＭＡＣアドレスがアクセスポイント３０を介して無線ＬＡＮスイッチ３１に送られる。そして無線ＬＡＮスイッチ３１は，無線ＬＡＮ通信スポットを識別する情報，日時情報，ＭＡＣアドレスを管理コンピュータ２に送信し，それを受け取った管理コンピュータ２の通信端末識別情報取得処理部２０は，通信端末識別情報記憶部２１に記憶させる（Ｓ１１０）。【００６６】
図５の場合，エリア１には，利用者「ａ」乃至「ｄ」がそれぞれ１乃至４の可搬型通信端末５を利用しており，それら各可搬型通信端末５のＭＡＣアドレス「１２−３４−５６−７８−９０−１２」，「３４−５６−７８−９０−１２−３４」，「５６−７８−９０−１２−３４−５６」，「７８−９０−１２−３４−５６−７８」が，無線ＬＡＮ通信スポットを示す「エリア１」，日時情報とともに無線ＬＡＮスイッチ３１に送られる。これらを取得した通信端末識別情報取得処理部２０が通信端末識別情報記憶部２１に記憶させる。【００６７】
一方，エリア１の防犯カメラは動画像や静止画像などで撮影し，画像情報を取得する（Ｓ１２０）。そして防犯カメラは取得した画像情報を，無線ＬＡＮ通信スポットを識別する情報，撮影した日時情報などとともに，管理コンピュータ２に送信する。【００６８】
管理コンピュータ２の人物照合処理部２２は，取得した画像情報を照合システム４に送信し，その画像情報に，あらかじめ登録されている人物の顔画像情報が含まれているかを照合する照合処理を実行する（Ｓ１３０）。この照合処理は，公知の顔認証処理などの技術を用いることができる。【００６９】
照合した結果，あらかじめ登録されている人物の顔画像情報が含まれていると判定した場合，照合システム４から照合結果として，その人物の属性情報，無線ＬＡＮ通信スポットを識別する情報などが返され，それを人物照合処理部２２で取得する。仮に，「ａ」という人物が照合された場合，「ａ」の氏名など，照合システム４で記憶している属性情報の一部または全部が，無線ＬＡＮ通信スポットを識別する「エリア１」の情報とともに，照合システム４から管理コンピュータ２に照合結果として送られることとなる。【００７０】
そして，候補情報特定処理部２３は，照合結果を人物照合処理部２２で受け取ったことで，「エリア１」の人物「ａ」の属性情報を判定した画像情報の日時情報に対応するＭＡＣアドレスを候補情報として，通信端末識別情報記憶部２１から抽出する（Ｓ１４０）。たとえば図４における「エリア１」の４つのＭＡＣアドレスを抽出する。【００７１】
以上のようにしてエリア１に対する処理を実行するが，各利用者は時刻の経過とともに，場所を移動している。そして，エリア１にいた利用者「ａ」と「ｂ」はエリア２に移動し，エリア２には利用者「ａ」，「ｂ」，「ｅ」，「ｆ」がいたとする。この場合においても，エリア２における無線ＬＡＮスイッチ３１は，アクセスポイント３０を介して各利用者の可搬型通信端末５との間で接続を確立し（Ｓ１００），ＭＡＣアドレスを取得することで，管理コンピュータ２の通信端末識別情報記憶部２１に記憶される（Ｓ１１０）。さらに，エリア２の防犯カメラが撮影をし（Ｓ１２０），画像情報が人物照合処理部２２に送られる（Ｓ１３０）。【００７２】
人物照合処理部２２は，さきほどのエリア１の画像情報と同様に，エリア２の画像情報を照合システム４に送り，照合システム４において人物の照合処理が実行される（Ｓ１３０）。ここでも利用者「ａ」が写っているので，「ａ」の氏名など，照合システム４で記憶している属性情報の一部または全部が，無線ＬＡＮ通信スポットを識別する「エリア２」の情報とともに，照合システム４から管理コンピュータ２に照合結果として送られることとなる。【００７３】
そして，候補情報特定処理部２３は，照合結果を人物照合処理部２２で受け取ったことで，「エリア２」の利用者「ａ」の属性情報を判定した画像情報の日時情報に対応するＭＡＣアドレスを候補情報として，通信端末識別情報記憶部２１から抽出する（Ｓ１４０）。たとえば図４における「エリア２」の４つのＭＡＣアドレスを抽出する。【００７４】
さらに，時刻の経過とともに，エリア３に利用者「ａ」，「ｅ」，「ｆ」，「ｇ」がいたとする。この場合においても，エリア３における無線ＬＡＮスイッチ３１は，アクセスポイント３０を介して各利用者の可搬型通信端末５との間で接続を確立し（Ｓ１００），ＭＡＣアドレスを取得することで，管理コンピュータ２の通信端末識別情報記憶部２１に記憶される（Ｓ１１０）。さらに，エリア３の防犯カメラが撮影をし（Ｓ１２０），画像情報が人物照合処理部２２に送られる（Ｓ１３０）。【００７５】
人物照合処理部２２は，さきほどのエリア１，エリア２の画像情報と同様に，エリア２の画像情報を照合システム４に送り，照合システム４において人物の照合処理が実行される（Ｓ１３０）。ここでも利用者「ａ」が写っているので，「ａ」の氏名など，照合システム４で記憶している情報の一部または全部が，無線ＬＡＮ通信スポットを識別する「エリア３」の情報とともに，照合システム４から管理コンピュータ２に照合結果として送られることとなる。【００７６】
そして，候補情報特定処理部２３は，照合結果を人物照合処理部２２で受け取ったことで，「エリア３」の利用者「ａ」の属性情報を判定した画像情報の日時情報に対応するＭＡＣアドレスを候補情報として，通信端末識別情報記憶部２１から抽出する（Ｓ１４０）。たとえば図４における「エリア３」の４つのＭＡＣアドレスを抽出する。【００７７】
このようにして，共通する人物「ａ」を特定した場合，通信端末識別情報特定処理部２４は，２以上のＭＡＣアドレスの候補情報からそれぞれ重複するＭＡＣアドレスを特定する（Ｓ１５０）。人物「ａ」にかかるエリア１の候補情報，エリア２の候補情報，エリア３の候補情報がそれぞれ図４の場合，重複するＭＡＣアドレスは「１２−３４−５６−７８−９０−１２」であるので，人物「ａ」の利用するＭＡＣアドレスは「１２−３４−５６−７８−９０−１２」と絞り込める。【００７８】
そして出力処理部２５が，照合システム４から受け取った人物「ａ」の氏名等の属性情報，絞り込んだＭＡＣアドレス，無線ＬＡＮ通信スポットを特定する「エリア１」，「エリア２」，「エリア３」などの情報を管理コンピュータ２の表示装置７２などに出力処理させる（Ｓ１６０）。【００７９】
なお，通信端末識別情報特定処理部２４の処理タイミングとしてはいかなるものであってもよいが，たとえば，同一人物について複数の候補情報を取得したときで行うことができる。その場合，エリア２の利用者「ａ」に対する候補情報を取得した段階で，二つの候補情報（利用者「ａ」に対する，エリア１の候補情報とエリア２の候補情報）に共通する通信端末識別情報を絞り込む。図４の場合では，「１２−３４−５６−７８−９０−１２」，「３４−５６−７８−９０−１２−３４」に絞り込まれる。そしてさらに，エリア３の利用者「ａ」に対する候補情報を取得した段階で，上記絞り込んだ通信端末識別情報と共通する通信端末識別情報があるかを比較して絞込処理を実行する。図４の場合では「１２−３４−５６−７８−９０−１２」に絞込を行う。【００８０】
以上のような処理プロセスを情報処理システム１で実行することで，あらかじめ登録されている人物がいた場合，その人物が利用者として利用するＭＡＣアドレスを特定することができる。そのため，このＭＡＣアドレスに基づいて，当該人物の可搬型通信端末５を利用した通信を遮断等することができる。
【実施例２】
【００８１】
第２の実施態様においては，あるイベント会場に１カ所の無線ＬＡＮ通信スポットが設置されており，人物特定情報取得装置３２として防犯カメラ，人物特定情報として防犯カメラで無線ＬＡＮ通信スポットの通信可能範囲内の一部または全部を撮影した画像情報，生体情報として顔画像情報の場合を説明する。実施例２における実施態様の一例を図６に模式的に示す。【００８２】
本実施態様の場合，無線ＬＡＮ通信スポットとしてエリア１が設けられており，そこに，アクセスポイント３０，無線ＬＡＮスイッチ３１，防犯カメラが設置されている。そして，時間の経過とともに，エリア１にいる人員構成に変動が生じている。すなわち，ある時点においては，エリア１には４人（利用者「ａ」乃至「ｄ」）がいたところ，その時点から所定時間経過後には４人（利用者「ａ」，「ｂ」，「ｅ」，「ｆ」）が，さらにそこから所定時間経過後には４人（利用者「ａ」，「ｅ」，「ｆ」，「ｇ」）がいた場合を示している。つまり，当初，エリア１にいた人員構成が，利用者「ａ」乃至「ｄ」の４人から，利用者「ａ」，「ｂ」，「ｅ」，「ｆ」の４人になり（利用者「ｃ」，「ｄ」がエリア１からいなくなり，利用者「ｅ」，「ｆ」がエリア１に入ってくる），さらに，利用者「ａ」，「ｅ」，「ｆ」，「ｇ」の４人になった（利用者「ｂ」がエリア１からいなくなり，利用者「ｇ」がエリア１に入ってくる）場合である。【００８３】
また，エリア１ではそれぞれの時点で，ＭＡＣアドレスが無線ＬＡＮスイッチ３１で記録されており，さらに，防犯カメラが撮影をしている。そして，ＭＡＣアドレス，画像情報は，いずれも管理コンピュータ２に送られている。【００８４】
基本的な処理の流れは実施例１と共通するが，以下，本実施態様における処理プロセスの一例を図３のフローチャートを用いて説明する。【００８５】
まず，無線ＬＡＮ通信スポットであるエリア１のアクセスポイント３０の通信可能範囲内に位置した場合，その利用者が利用する可搬型通信端末５と無線ＬＡＮスイッチ３１との間で通信の確立が行われ（Ｓ１００），可搬型通信端末５のＭＡＣアドレスが，アクセスポイント３０を介して無線ＬＡＮスイッチ３１に送られる。そして無線ＬＡＮスイッチ３１は，無線ＬＡＮ通信スポットを識別する情報，日時情報，ＭＡＣアドレスを管理コンピュータ２に送信し，それを受け取った管理コンピュータ２の通信端末識別情報取得処理部２０は，通信端末識別情報記憶部２１に記憶させる（Ｓ１１０）。【００８６】
図６の場合，エリア１には，利用者「ａ」乃至「ｄ」がそれぞれ１乃至４の可搬型通信端末５を利用しており，それら各可搬型通信端末５のＭＡＣアドレス「１２−３４−５６−７８−９０−１２」，「３４−５６−７８−９０−１２−３４」，「５６−７８−９０−１２−３４−５６」，「７８−９０−１２−３４−５６−７８」が，無線ＬＡＮ通信スポットを示す「エリア１」，日時情報とともに無線ＬＡＮスイッチ３１に送られる。これらを取得した通信端末識別情報取得処理部２０が通信端末識別情報記憶部２１に記憶させる。【００８７】
一方，エリア１の防犯カメラは動画像や静止画像などで撮影し，画像情報を取得する（Ｓ１２０）。そして防犯カメラは取得した画像情報を，無線ＬＡＮ通信スポットを識別する情報，撮影した日時情報などとともに，管理コンピュータ２に送信する。【００８８】
管理コンピュータ２の人物照合処理部２２は，取得した画像情報を照合システム４に送信し，その画像情報に，あらかじめ登録されている人物の顔画像情報が含まれているかを照合する照合処理を実行する（Ｓ１３０）。照合した結果，あらかじめ登録されている人物の顔画像情報が含まれていると判定した場合，照合システム４から照合結果として，その人物の属性情報，無線ＬＡＮ通信スポットを識別する情報などが返され，それを人物照合処理部２２で取得する。仮に，「ａ」という人物が照合された場合，「ａ」の氏名など，照合システム４で記憶している属性情報の一部または全部が，無線ＬＡＮ通信スポットを識別する「エリア１」の情報，照合した画像情報の日時情報とともに，照合システム４から管理コンピュータ２に照合結果として送られることとなる。【００８９】
そして，候補情報特定処理部２３は，照合結果を人物照合処理部２２で受け取ったことで，「エリア１」の人物「ａ」の属性情報を判定した画像情報の日時情報に対応するＭＡＣアドレスを候補情報として，通信端末識別情報記憶部２１から抽出する（Ｓ１４０）。たとえば図４における「エリア１」の４つのＭＡＣアドレス（最初の４つのＭＡＣアドレス）を抽出する。【００９０】
以上のようにしてエリア１に対する処理を実行するが，各利用者は時刻の経過とともに場所を移動している。エリア１からは利用者「ｃ」と利用者「ｄ」が離れ，あらたに利用者「ｅ」と利用者「ｆ」とがエリア１に入ってきたとする。この場合においても，エリア１における無線ＬＡＮスイッチ３１は，新たに入ってきた利用者の可搬型通信端末５との間で接続を確立し（Ｓ１００），ＭＡＣアドレスを取得することで，管理コンピュータ２の通信端末識別情報記憶部２１に記憶される（Ｓ１１０）。さらに，エリア１の防犯カメラが撮影をし（Ｓ１２０），画像情報が人物照合処理部２２に送られる（Ｓ１３０）。【００９１】
人物照合処理部２２は，さきほどの画像情報と同様に，新たに撮影した画像情報を照合システム４に送り，照合システム４において人物の照合処理が実行される（Ｓ１３０）。ここでも利用者「ａ」が写っているので，「ａ」の氏名など，照合システム４で記憶している属性情報の一部または全部が，無線ＬＡＮ通信スポットを識別する「エリア１」の情報，照合した画像情報の日時情報とともに，照合システム４から管理コンピュータ２に照合結果として送られることとなる。【００９２】
そして，候補情報特定処理部２３は，照合結果を人物照合処理部２２で受け取ったことで，「エリア１」の利用者「ａ」の属性情報を判定した画像情報の日時情報に対応するＭＡＣアドレスを候補情報として，通信端末識別情報記憶部２１から抽出する（Ｓ１４０）。たとえば図４における「エリア１」の４つのＭＡＣアドレス（５番目から８番目のＭＡＣアドレス）を抽出する。【００９３】
さらに，時刻の経過とともに，エリア１から利用者「ｂ」が離れ，あらたに利用者「ｇ」がエリア１に入ってきたとする。この場合においても，エリア１における無線ＬＡＮスイッチ３１は，新たに入ってきた利用者の可搬型通信端末５との間で接続を確立し（Ｓ１００），ＭＡＣアドレスを取得することで，管理コンピュータ２の通信端末識別情報記憶部２１に記憶される（Ｓ１１０）。さらに，エリア１の防犯カメラが撮影をし（Ｓ１２０），画像情報が人物照合処理部２２に送られる（Ｓ１３０）。【００９４】
人物照合処理部２２は，さきほどの画像情報と同様に，新たに撮影した画像情報を照合システム４に送り，照合システム４において人物の照合処理が実行される（Ｓ１３０）。ここでも利用者「ａ」が写っているので，「ａ」の氏名など，照合システム４で記憶している属性情報の一部または全部が，無線ＬＡＮ通信スポットを識別する「エリア１」の情報，照合した画像情報の日時情報とともに，照合システム４から管理コンピュータ２に照合結果として送られることとなる。【００９５】
そして，候補情報特定処理部２３は，照合結果を人物照合処理部２２で受け取ったことで，「エリア１」の利用者「ａ」の属性情報を判定した画像情報の日時情報に対応するＭＡＣアドレスを候補情報として，通信端末識別情報記憶部２１から抽出する（Ｓ１４０）。たとえば図４における「エリア１」の４つのＭＡＣアドレス（９番目から１２番目のＭＡＣアドレス）を抽出する。【００９６】
このようにして，共通する人物「ａ」を特定した場合，通信端末識別情報特定処理部２４は，２以上のＭＡＣアドレスの候補情報からそれぞれ重複するＭＡＣアドレスを特定する（Ｓ１５０）。人物「ａ」にかかるエリア１の３つの候補情報がそれぞれ図７の場合，重複するＭＡＣアドレスは「１２−３４−５６−７８−９０−１２」であるので，人物「ａ」の利用するＭＡＣアドレスは「１２−３４−５６−７８−９０−１２」と絞り込める。【００９７】
そして出力処理部２５が，照合システム４から受け取った人物「ａ」の氏名等の属性情報，絞り込んだＭＡＣアドレス，無線ＬＡＮ通信スポットを特定する「エリア１」などの情報を管理コンピュータ２の表示装置７２などに出力処理させる（Ｓ１６０）。【００９８】
以上のような処理プロセスを管理コンピュータ２で実行することでも，あらかじめ登録されている人物がいた場合，その人物が利用するＭＡＣアドレスを特定することができる。そのため，このＭＡＣアドレスに基づいて，当該人物の可搬型通信端末５を利用した通信を遮断等することができる。
【実施例３】
【００９９】
実施例１および実施例２では，無線ＬＡＮ通信スポットにおける人物特定情報取得装置３２（防犯カメラなど）から取得した人物特定情報を，管理コンピュータ２の人物照合処理部２２で取得し，照合システム４や人物照合処理部２２などで，あらかじめ登録された人物の生体情報と比較し，一致した場合には，通信端末識別情報の絞込処理を実行する構成となっていた。本実施例においては，あらかじめ人物の生体情報を登録しておくのではなく，無線ＬＡＮ通信スポットにおける人物特定情報取得装置３２で取得した人物特定情報同士を比較して，同一の人物が存在するかを比較し，同一の人物が存在することを判定した場合には，通信端末識別情報の絞込処理を実行する場合を説明する。【０１００】
本実施例における情報処理システム１の全体の構成の一例を図８に模式的に示す。本実施例における情報処理システム１では，通信端末識別情報取得処理部２０と通信端末識別情報記憶部２１と人物特定情報比較処理部２６と通信端末識別情報絞込処理部２７と出力処理部２５とを有する。通信端末識別情報取得処理部２０と通信端末識別情報記憶部２１と出力処理部２５は実施例１乃至実施例４と同じ処理なので説明を省略する。【０１０１】
人物特定情報比較処理部２６は，無線ＬＡＮ通信スポットにおける人物特定情報取得装置３２で取得した人物特定情報を取得し，少なくとも２以上の人物特定情報を比較し，同一の人物が存在するかを判定する。この際に，同一の無線ＬＡＮ通信スポットにおける２以上の人物特定情報を比較してもよいし，異なる無線ＬＡＮ通信スポットにおける２以上の人物特定情報を比較してもよい。【０１０２】
たとえば無線ＬＡＮ通信スポットにおける人物特定情報取得装置３２が無線ＬＡＮ通信スポットの通信可能範囲内の一部または全部を撮影する防犯カメラであり，人物特定情報が当該防犯カメラで撮影した画像情報の場合，その画像情報に写っている人物を抽出し，比較対象となる画像情報同士で，当該抽出した人物に共通する人物がいるかを顔画像認識技術などを用いて判定する。【０１０３】
通信端末識別情報絞込処理部２７は，人物特定情報比較処理部２６において同一の人物が存在すると判定した場合に，それぞれの人物特定情報に対応する通信端末識別情報を通信端末識別情報記憶部２１から抽出し，重複する通信端末識別情報を特定する。【０１０４】
つぎに本実施例における処理の一例を図９のフローチャートを用いて説明する。以下の説明においては，実施例１と同様に，人物特定情報取得装置３２が無線ＬＡＮ通信スポットの通信可能範囲内の一部または全部を撮影する防犯カメラであり，人物特定情報が当該防犯カメラで撮影した画像情報である場合とする。また通信端末識別情報としてＭＡＣアドレスとする。【０１０５】
実施例３における実施態様の一例を図１０に模式的に示す。図１０における実施態様の一例も実施例１の場合と同様とする。【０１０６】
実施例１と同様に，まず，無線ＬＡＮ通信スポットであるエリア１の通信可能範囲内に位置した場合，その利用者が利用する可搬型通信端末５と無線ＬＡＮスイッチ３１との間で通信の確立が行われ（Ｓ２００），可搬型通信端末５のＭＡＣアドレスが，アクセスポイント３０を介して無線ＬＡＮスイッチ３１に送られる。そして無線ＬＡＮスイッチ３１は，無線ＬＡＮ通信スポットを識別する情報，日時情報，ＭＡＣアドレスを管理コンピュータ２に送信し，それを受け取った管理コンピュータ２の通信端末識別情報取得処理部２０は，通信端末識別情報記憶部２１に記憶させる（Ｓ２１０）。【０１０７】
また，エリア１の防犯カメラは動画像や静止画像などで撮影し，画像情報を取得する（Ｓ２２０）。そして防犯カメラは取得した画像情報を，無線ＬＡＮ通信スポットを識別する情報，撮影した日時情報などとともに，管理コンピュータ２に送信する。【０１０８】
人物特定情報比較処理部２６は，同一の無線ＬＡＮ通信スポットにおいて防犯カメラが撮影した少なくとも２以上の画像情報，または異なる無線ＬＡＮ通信スポットにおける防犯カメラがそれぞれ撮影した少なくとも２以上の画像情報を比較し，同一の人物が写っているかを判定する（Ｓ２３０）。すなわち，各画像情報から人物の顔画像情報を抽出し，抽出した人物の顔画像情報を，他方の画像情報から抽出した人物の顔画像情報と，顔画像認識技術などを用いて比較して，同一の人物が写っているかを判定する。同一の人物であるかは，たとえば顔画像情報における顔の特徴点を抽出し，それらの一致度などから顔画像情報に基づく人物の同一性の判定を行う。【０１０９】
図１０においては，エリア１の画像情報からは，利用者「ａ」乃至「ｄ」の顔画像情報を抽出し，エリア２の画像情報からは，利用者「ａ」，「ｂ」，「ｅ」，「ｆ」の顔画像情報を抽出する。そうすると，エリア１の画像情報とエリア２の画像情報とでは利用者「ａ」，「ｂ」の顔画像情報が一致すると判定できる。【０１１０】
そうすると，通信端末識別情報絞込処理部２７が，エリア１の画像情報，エリア２の画像情報にそれぞれ対応するＭＡＣアドレスを通信端末識別情報記憶部２１（図４と同様だったとする）から抽出し，重複するＭＡＣアドレスがあるかを絞り込むと，ＭＡＣアドレス「１２−３４−５６−７８−９０−１２」，「３４−５６−７８−９０−１２−３４」のいずれかが，それぞれ利用者「ａ」，「ｂ」の可搬型通信端末５のＭＡＣアドレスであると絞り込める（Ｓ２４０）。【０１１１】
さらに，エリア３の画像情報を人物特定情報比較処理部２６で取得し（Ｓ２２０），エリア１またはエリア２の画像情報と比較すると（Ｓ２３０），利用者「ａ」のみが同一の人物であると判定でき，さらに，通信端末識別情報絞込処理部２７がエリア３の画像情報に対応するＭＡＣアドレスを通信端末識別情報記憶部２１から抽出して重複性に基づく絞込処理を行うと，ＭＡＣアドレス「１２−３４−５６−７８−９０−１２」が利用者「ａ」のＭＡＣアドレスであることを判定できる（Ｓ２４０）。【０１１２】
以上のような処理を実行することで，顔画像情報などの生体情報をあらかじめ登録していなくても，特定の人物が利用する可搬型通信端末５の通信端末識別情報を絞り込むことができる。【０１１３】
なお，絞込をした通信端末識別情報を，捜査機関に対して提供してもよいことは，上述の実施例１および実施例２と同様である。【０１１４】
また本実施例のように，不特定の利用者について通信端末識別情報の絞込や特定を実行しておくことによって，後に，捜査機関などから特定の人物（利用者）について，犯罪行為の被疑者であるなどの確定的情報が提供された場合に，利用者と通信端末識別情報との対応関係の絞込み，特定をすでに行えているので，その通信を遮断するなど，通信に対する介入を行うことが直ちにできる。【０１１５】
さらに，本実施例における処理と並行して，管理コンピュータ２の人物特定情報比較処理部２６で取得した人物特定情報から抽出した顔画像情報などの生体情報を，逐次，捜査機関などが利用する照合システム４に送り，捜査機関側においてあらかじめ登録された人物の生体情報と比較させてもよい。この場合，捜査機関側においてあらかじめ登録された人物と一致することを判定すると，その判定結果を捜査機関側の照合システム４などから受け取り，出力処理部２５が，捜査機関側の照合システム４などに対して，当該人物が利用するとして絞込み，特定した通信端末識別情報を通知してもよい。
【実施例４】
【０１１６】
実施例１は複数の無線ＬＡＮ通信スポットにおける場合の処理，実施例２は同一の無線ＬＡＮ通信スポットにおける場合の処理を示した。また実施例３では，実施例１および実施例２とは異なり，あらかじめ登録された人物の生体情報を用いずに処理を行う場合を示した。実施例４では，無線ＬＡＮ通信スポットの通信可能範囲を，一人のみがアクセスできるごく狭い範囲，たとえば１メートル程度に設定した場合の実施態様を説明する。この場合，通信可能範囲が極めて狭いので，防犯カメラによる撮影範囲もピンポイントで設定でき，一人のみを対象とすることができる。なお，無線ＬＡＮ通信スポットの通信としては，ゲートを通行する人物のみが有効な通信を行えるように，その出力が設定されていればよい。すなわち，電波は同心円状に広がるため，ごく狭い範囲でも複数の利用者が接続可能となるが，原則的にはゲートを通行する利用者（もっとも強い電波を受ける利用者）のみが通信可能となるように，出力が設定されていればよい。通信可能範囲で設定するほか，一台とのみ通信の接続が確立されるように設定されていてもよい。【０１１７】
本実施態様は，たとえば空港のセキュリティゲート６などで利用することができる。本実施態様の一例を図１１に模式的に示す。この場合，セキュリティゲート６またはその近傍にはアクセスポイント３０や無線ＬＡＮスイッチ３１を設置しておき，防犯カメラでセキュリティゲート６の通行部付近を撮影する構成とする。このように構成することで，セキュリティゲート６を通行する際に，無線ＬＡＮスイッチ３１と可搬型通信端末５との間で無線通信が確立されるとともに，防犯カメラで利用者を撮影することができる。【０１１８】
本実施態様における処理は，実施例２とほぼ同様である。無線ＬＡＮスイッチ３１で取得した可搬型通信端末５の通信端末識別情報と，防犯カメラで撮影した画像情報とが，それぞれ管理コンピュータ２に送られる。通信端末識別情報は通信端末識別情報記憶部２１に記憶され，画像情報は，人物照合処理部２２が照合処理システムに送り，あらかじめ登録された人物との照合処理を実行させる。【０１１９】
本実施態様においては，アクセスポイント３０の通信可能範囲が極めて狭いので，防犯カメラで撮影をする場合にも，基本的には一人が撮影される。そのため，人物照合処理部２２が取得する画像情報に基づいて，照合システム４があらかじめ登録された人物との照合処理を実行させる場合，仮にあらかじめ登録された人物と判定した場合，当該判定された人物と，アクセスポイント３０や無線ＬＡＮスイッチ３１で管理して通信端末識別情報記憶部２１で記憶する通信端末識別情報とは一対一で対応する。そのため，複数の画像情報を用いずに，通信端末識別情報を特定することが可能となる。【０１２０】
すなわち，人物照合処理部２２が照合処理システムでの照合結果を取得すると，候補情報特定処理部２３が，その画像情報に対応する通信端末識別情報記憶部２１を抽出するが，この際に，一対一で対応しているので，一つの通信端末識別情報のみを抽出して特定することができる。そのため，通信端末識別情報特定処理部２４における処理を実行せずともよくなる。【０１２１】
なお，本実施態様において，セキュリティゲート６やその近傍にセンサーを設置しておき，セキュリティゲート６の通過と防犯カメラでの画像情報の撮影との処理を連動させる，あるいはアクセスポイント３０や無線ＬＡＮスイッチ３１でセキュリティゲート６を通過しようとする人物が利用する可搬型通信端末５の通信端末識別情報の取得と防犯カメラでの画像情報の撮影との処理を連動させてもよい。【０１２２】
さらに，絞込をした通信端末識別情報を，捜査機関に対して提供してもよい。
【実施例５】
【０１２３】
本発明の異なる実施態様として，管理コンピュータ２が絞込をした結果，通信端末識別情報を，可搬型通信端末５の通信会社に対して問い合わせをする機能を持たせてもよい。これによって，詳細な契約者の情報を取得するように構成することができる。
【産業上の利用可能性】
【０１２４】
上述した本発明の情報処理システム１によって，あらかじめ登録されている人物が，無線ＬＡＮ通信スポットで無線ＬＡＮによる通信を行っている場合，その通信端末識別情報を特定することができる。これによって，たとえばあらかじめ，犯罪行為を行う危険性が高い人物として登録されている利用者が無線ＬＡＮによる通信を行っている場合，それを出力することができるので，その通信を遮断したり，傍受する，偽の情報を流す，ネットワーク経由での爆発物の起爆装置の作動を停止させるなど，無線ＬＡＮ通信スポットを介した場合の通信に対する介入などが可能となり，犯罪行為の防止に利用することができる。【０１２５】
また，通信端末識別情報は偽装することもできるが，通常，それには一定の操作などが必要であり，一度，外出等した場合には，少なくともその一日は同一の「偽装された」通信端末識別情報を利用することが通常である。そうすると，仮に通信端末識別情報が偽装されていたとしても，本発明を用いることによって，その通信に対して，介入することが可能となる。
【符号の説明】
【０１２６】
１：情報処理システム
２：管理コンピュータ
４：照合システム
５：可搬型通信端末
６：ゲート
２０：通信端末識別情報取得処理部
２１：通信端末識別情報記憶部
２２：人物照合処理部
２３：候補情報特定処理部
２４：通信端末識別情報特定処理部
２５：出力処理部
２６：人物特定情報比較処理部
２７：通信端末識別情報絞込処理部
３０：アクセスポイント
３１：無線ＬＡＮスイッチ
３２：人物特定情報取得装置
７０：演算装置
７１：記憶装置
７２：表示装置
７３：入力装置
７４：通信装置
【図１】
2017134729.tif 000003
【図２】
2017134729.tif 000004
【図３】
2017134729.tif 000005
【図４】
2017134729.tif 000006
【図５】
2017134729.tif 000007
【図６】
2017134729.tif 000008
【図７】
2017134729.tif 000009
【図８】
2017134729.tif 000010
【図９】
2017134729.tif 000011
【図１０】
2017134729.tif 000012
【図１１】
2017134729.tif 000013
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
無線通信装置を利用して可搬型通信端末により通信を行う利用者の通信端末識別情報を特定する情報処理システムであって，
前記情報処理システムは，
前記無線通信装置を利用して通信を行う可搬型通信端末の通信端末識別情報を記憶する通信端末識別情報記憶部と，
前記無線通信装置のある無線ＬＡＮ通信スポットにおける人物特定情報取得装置で取得した人物特定情報を用いて，あらかじめ登録された人物がいるかを照合させる人物照合処理部と，
前記照合の結果，あらかじめ登録された人物がいると判定された場合，前記通信端末識別情報記憶部から，前記人物特定情報に対応する通信端末識別情報を前記通信端末識別情報記憶部から抽出することで候補情報として特定する候補情報特定処理部と，
同一の人物に対する，少なくとも二以上の候補情報から，共通する通信端末識別情報を特定することで，前記無線通信装置を利用して通信を行う利用者の可搬型通信端末の通信端末識別情報の絞込処理を行う通信端末識別情報特定処理部と，
を備えることを特徴とする情報処理システム。
【請求項２】
ゲートまたはその付近に無線通信装置と人物特定情報取得装置とが設置されており，前記ゲートを通行する人物が利用する可搬型通信端末の通信端末識別情報を特定する情報処理システムであって，
前記無線通信装置は，前記ゲートを人物が通行する際に，前記人物が利用する可搬型通信端末以外の可搬型通信端末とは通信の接続の確立は行わずに，前記人物が利用する可搬型通信端末とのみ通信を行って，前記可搬型通信端末の通信端末識別情報を取得するよう設定されており，
前記人物特定情報取得装置は，前記ゲートを通行する人物の人物特定情報を取得し，
前記情報処理システムは，
前記無線通信装置で取得した通信端末識別情報を記憶する通信端末識別情報記憶部と，
前記人物特定情報取得装置で取得した人物特定情報を用いて，あらかじめ登録された人物がいるかを照合させる人物照合処理部と，
前記照合の結果，あらかじめ登録された人物がいると判定された場合，前記通信端末識別情報記憶部から，前記人物特定情報に対応する通信端末識別情報を前記通信端末識別情報記憶部から抽出することで，前記無線通信装置を利用して通信を行う利用者の可搬型通信端末の通信端末識別情報の特定処理を行う候補情報特定処理部と，
を備えることを特徴とする情報処理システム。
【請求項３】
前記ゲートまたはその付近にセンサーが設置されており，
前記ゲートの通行と前記人物特定情報取得装置の取得処理とを連動させる，または，前記無線通信装置における前記ゲートを通行する利用者が利用する可搬型通信端末の通信端末識別情報の取得処理と前記人物特定情報取得装置の取得処理とを連動させる，
ことを特徴とする請求項２に記載の情報処理システム。
【請求項４】
前記人物特定情報取得装置で取得した人物特定情報を用いた照合処理は，
前記人物特定情報と，あらかじめ登録された人物の生体情報とを照合させることで実行する，
ことを特徴とする請求項１から請求項３のいずれかに記載の情報処理システム。
【請求項５】
無線通信装置を利用して可搬型通信端末により通信を行う利用者の通信端末識別情報を特定する情報処理システムであって，
前記情報処理システムは，
前記無線通信装置を利用して通信を行う可搬型通信端末の通信端末識別情報を記憶する通信端末識別情報記憶部と，
前記無線通信装置のある無線ＬＡＮ通信スポットにおける人物特定情報取得装置で取得した，少なくとも二以上の人物特定情報を用いて，同一の人物がいるかを判定する人物特定情報比較処理部と，
前記判定の結果，同一の人物がいると判定された場合，前記通信端末識別情報記憶部から，前記それぞれの人物特定情報に対応する通信端末識別情報を前記通信端末識別情報記憶部から抽出し，共通する通信端末識別情報を特定することで，前記無線通信装置を利用して通信を行う利用者の可搬型通信端末の通信端末識別情報の絞込処理を行う通信端末識別情報絞込処理部と，
を備えることを特徴とする情報処理システム。
【請求項６】
無線通信装置を利用して可搬型通信端末により通信を行う利用者の通信端末識別情報を特定する情報処理方法であって，
前記情報処理方法は，コンピュータにおいて，
前記無線通信装置を利用して通信を行う可搬型通信端末の通信端末識別情報を取得するステップと，
前記無線通信装置のある無線ＬＡＮ通信スポットにおける人物特定情報取得装置で取得した人物特定情報を用いて，あらかじめ登録された人物がいるかを照合させるステップと，
前記照合の結果，あらかじめ登録された人物がいると判定された場合，前記取得した通信端末識別情報のうち，前記人物特定情報に対応する通信端末識別情報を抽出することで候補情報として特定するステップと，
同一の人物に対する，少なくとも二以上の候補情報から，共通する通信端末識別情報を特定することで，前記無線通信装置を利用して通信を行う利用者の可搬型通信端末の通信端末識別情報の絞込処理を行うステップと，
を備えることを特徴とする情報処理方法。
【請求項７】
ゲートまたはその付近に無線通信装置と人物特定情報取得装置とが設置されており，前記ゲートを通行する人物が利用する可搬型通信端末の通信端末識別情報を特定する情報処理方法であって，
前記無線通信装置は，前記ゲートを人物が通行する際に，前記人物が利用する可搬型通信端末以外の可搬型通信端末とは通信の接続の確立は行わずに，前記人物が利用する可搬型通信端末とのみ通信を行って，前記可搬型通信端末の通信端末識別情報を取得するよう設定されており，
前記人物特定情報取得装置は，前記ゲートを通行する人物の人物特定情報を取得し，
前記情報処理方法は，コンピュータにおいて，
前記無線通信装置を利用して通信を行う可搬型通信端末の通信端末識別情報を取得するステップと，
前記人物特定情報取得装置で取得した人物特定情報を用いて，あらかじめ登録された人物がいるかを照合させるステップと，
前記照合の結果，あらかじめ登録された人物がいると判定された場合，前記取得した通信端末識別情報のうち，前記人物特定情報に対応する通信端末識別情報を抽出することで，前記無線通信装置を利用して通信を行う利用者の可搬型通信端末の通信端末識別情報の特定処理を行うステップと，
を備えることを特徴とする情報処理方法。
【請求項８】
無線通信装置と，その無線通信装置の通信可能範囲の一部または全部を撮影するカメラとを備えた無線ＬＡＮ通信スポットが二以上ある場合の，前記無線通信装置を利用する可搬型通信端末の通信端末識別情報を特定する情報処理方法であって，
前記情報処理方法は，コンピュータにおいて，
第１の無線ＬＡＮ通信スポットのカメラで撮影した画像情報を取得するステップと，
第２の無線ＬＡＮ通信スポットのカメラで撮影した画像情報を取得するステップと，
前記取得したそれぞれの画像情報と，あらかじめ登録された人物の生体情報とを照合させ，前記登録された人物が前記画像情報に写っているかの照合をさせるステップと，
前記登録された人物が写っていると判定された場合，前記判定した画像情報に対応する，前記第１の無線ＬＡＮ通信スポットを利用して通信する可搬型通信端末の通信端末識別情報と，前記第２の無線ＬＡＮ通信スポットを利用して通信する可搬型通信端末の通信端末識別情報とを比較し，共通する通信端末識別情報を特定するステップと，
を備えることを特徴とする情報処理方法。
【請求項９】
無線通信装置と，その無線通信装置の通信可能範囲の一部または全部を撮影するカメラとを備えた無線ＬＡＮ通信スポットの，前記無線通信装置を利用する可搬型通信端末の通信端末識別情報を特定する情報処理方法であって，
前記情報処理方法は，コンピュータにおいて，
第１の時点において，前記カメラで撮影した画像情報を取得するステップと，
第２の時点において，前記カメラで撮影した画像情報を取得するステップと，
前記取得したそれぞれの画像情報と，あらかじめ登録された人物の生体情報とを照合させ，前記登録された人物が前記画像情報に写っているかの照合をさせるステップと，
前記登録された人物が写っていると判定された場合，前記判定した画像情報に対応する，前記第１の時点における前記無線ＬＡＮ通信スポットを利用して通信する可搬型通信端末の通信端末識別情報と，前記第２の時点における前記無線ＬＡＮ通信スポットを利用して通信する可搬型通信端末の通信端末識別情報とを比較し，共通する通信端末識別情報を特定するステップと，
を備えることを特徴とする情報処理方法。
【請求項１０】
無線通信装置と，その無線通信装置の通信可能範囲の一部または全部を撮影するカメラとを備えた無線ＬＡＮ通信スポットが二以上ある場合の，前記無線通信装置を利用する可搬型通信端末の通信端末識別情報を特定する情報処理方法であって，
前記情報処理方法は，コンピュータにおいて，
第１の無線ＬＡＮ通信スポットのカメラで撮影した画像情報を取得するステップと，
第２の無線ＬＡＮ通信スポットのカメラで撮影した画像情報を取得するステップと，
前記取得したそれぞれの画像情報から写っている人物の顔画像情報を抽出し，抽出した人物の顔画像情報を，他方の画像情報から抽出した人物の顔画像情報と比較することで，同一の人物がそれぞれの画像情報に写っているかを判定するステップと，
前記同一の人物がそれぞれの画像情報に写っていると判定した場合，前記それぞれの画像情報に対応する，前記第１の無線ＬＡＮ通信スポットを利用して通信する可搬型通信端末の通信端末識別情報と，前記第２の無線ＬＡＮ通信スポットを利用して通信する可搬型通信端末の通信端末識別情報とを比較し，共通する通信端末識別情報を特定するステップと，
を備えることを特徴とする情報処理方法。
【請求項１１】
無線通信装置と，その無線通信装置の通信可能範囲の一部または全部を撮影するカメラとを備えた無線ＬＡＮ通信スポットの，前記無線通信装置を利用する可搬型通信端末の通信端末識別情報を特定する情報処理方法であって，
前記情報処理方法は，コンピュータにおいて，
第１の時点において，前記カメラで撮影した画像情報を取得するステップと，
第２の時点において，前記カメラで撮影した画像情報を取得するステップと，
前記取得したそれぞれの画像情報から写っている人物の顔画像情報を抽出し，抽出した人物の顔画像情報を，他方の画像情報から抽出した人物の顔画像情報と比較することで，同一の人物がそれぞれの画像情報に写っているかを判定するステップと，
前記同一の人物がそれぞれの画像情報に写っていると判定した場合，前記それぞれの画像情報に対応する，前記第１の時点における前記無線ＬＡＮ通信スポットを利用して通信する可搬型通信端末の通信端末識別情報と，前記第２の時点における前記無線ＬＡＮ通信スポットを利用して通信する可搬型通信端末の通信端末識別情報とを比較し，共通する通信端末識別情報を特定するステップと，
を備えることを特徴とする情報処理方法。
【手続補正２】
【補正対象書類名】明細書
【補正対象項目名】００１１
【補正方法】変更
【補正の内容】
【００１１】
第２の発明は，ゲートまたはその付近に無線通信装置と人物特定情報取得装置とが設置されており，前記ゲートを通行する人物が利用する可搬型通信端末の通信端末識別情報を特定する情報処理システムであって，前記無線通信装置は，前記ゲートを人物が通行する際に，前記人物が利用する可搬型通信端末以外の可搬型通信端末とは通信の接続の確立は行わずに，前記人物が利用する可搬型通信端末とのみ通信を行って，前記可搬型通信端末の通信端末識別情報を取得するよう設定されており，前記人物特定情報取得装置は，前記ゲートを通行する人物の人物特定情報を取得し，前記情報処理システムは，前記無線通信装置で取得した通信端末識別情報を記憶する通信端末識別情報記憶部と，前記人物特定情報取得装置で取得した人物特定情報を用いて，あらかじめ登録された人物がいるかを照合させる人物照合処理部と，前記照合の結果，あらかじめ登録された人物がいると判定された場合，前記通信端末識別情報記憶部から，前記人物特定情報に対応する通信端末識別情報を前記通信端末識別情報記憶部から抽出することで，前記無線通信装置を利用して通信を行う利用者の可搬型通信端末の通信端末識別情報の特定処理を行う候補情報特定処理部と，を備える情報処理システムである。
【手続補正３】
【補正対象書類名】明細書
【補正対象項目名】００２２
【補正方法】変更
【補正の内容】
【００２２】
第７の発明は，ゲートまたはその付近に無線通信装置と人物特定情報取得装置とが設置されており，前記ゲートを通行する人物が利用する可搬型通信端末の通信端末識別情報を特定する情報処理方法であって，前記無線通信装置は，前記ゲートを人物が通行する際に，前記人物が利用する可搬型通信端末以外の可搬型通信端末とは通信の接続の確立は行わずに，前記人物が利用する可搬型通信端末とのみ通信を行って，前記可搬型通信端末の通信端末識別情報を取得するよう設定されており，前記人物特定情報取得装置は，前記ゲートを通行する人物の人物特定情報を取得し，前記情報処理方法は，コンピュータにおいて，前記無線通信装置を利用して通信を行う可搬型通信端末の通信端末識別情報を取得するステップと，前記人物特定情報取得装置で取得した人物特定情報を用いて，あらかじめ登録された人物がいるかを照合させるステップと，前記照合の結果，あらかじめ登録された人物がいると判定された場合，前記取得した通信端末識別情報のうち，前記人物特定情報に対応する通信端末識別情報を抽出することで，前記無線通信装置を利用して通信を行う利用者の可搬型通信端末の通信端末識別情報の特定処理を行うステップと，を備える情報処理方法である。
【国際調査報告】
2017134729.tif 000014
2017134729.tif 000015
2017134729.tif 000016
2017134729.tif 000017